(57)【要約】      （修正有）【課題】移動や運搬が容易になるように、折り畳みができ、かつ、カヌーと水上サイクルにも使える双胴艇を提供する。【解決手段】別置き使用のフロートを装着出来る水上サイクルを中央に配置して、その両側に片持ち車輪付のソリ型カヌーを差し込み易く抜き易い性質を持つアルミ旗蝶番と連結補強用アルミ丸パイプ（中間にユニバーサルジョイントを直列に２コ設けて、その表面をスライド丸パイプが移動することにより、固定と折り曲げと外しが出来る）で並列に結ぶ。また、両カヌーの前後左右対象に付いている自在型キャスター付スタンドは、水上航行中には水平姿勢を保ち、折り畳みと同時に立体型の四輪車に変化する為、陸上移動が出来る。【選択図】図１
0003142838.tif 000002
【実用新案登録請求の範囲】
【請求項１】
人力スクリュー付で自転車に似た形の水上サイクルと前後が反りの形をしたサーフィンボード型カヌーを並列に連結した特徴のある双胴艇である
【請求項２】
水上サイクルとサーフィンボード型カヌーが簡単に着脱出来て、カヌー使用、水上サイクル使用双胴艇と３種類の独立した遊びが出来る特徴のある双胴艇である
【請求項３】
折り畳むとキャスター付開脚収納型スタンドが出て陸上での移動が可能な特徴を持った双胴艇である  また、乗用車のキャリアに搭載が可能で自宅に保管出来る程コンパクトに折り畳める特徴を持った双胴艇である
【考案の詳細な説明】
【技術分野】
【０００１】本考案は双胴艇に折り畳み機能と開脚収納型キャスターを備えて陸上移動を容易にし乗用車のキャリアに搭載可能なほど軽量でコンパクトに折り畳みが出来る構造である
この双胴艇は２艇のサーフィンボード型カヌーと人力推進機付水上サイクルが並列に連結して出来ている
それぞれ分離するとカヌー、水上サイクル、３種類の使用目的に対応可能な多目的型双胴艇である
【背景技術】
【０００２】従来の双胴艇はカヌー２艇を固定材で結んでボルトで貫通止めする方法で簡単に折り畳む機能と降着型車輪の機能はない
そのため、分解搬送か台車移動または係留保管をする方法しかなかった
【考案の開示】
【考案が解決しようとする課題】
【０００３】それには分解搬送組み立てに手間がかかり、維持管理に費用がかかり、一般の人々には手が届かない
一番安定性が高く安全な双胴艇が、なぜ人々に普及しないのか理由はここにある．しかも分離すれば水上サイクル、カヌーにも使える双胴艇があればなお便利で経済的である
【課題を解決するための手段】
【０００４】双胴艇の船体構造をサーフィンボード型にしてその前後は先細り型ではなく、反りの形状にし水の抵抗を受けない位置にキャスター付開脚収納型スタンドを取り付ける、双胴艇の中央には自転車型の人力水上サイクルを置き並列に連結するように、また着脱機構を容易にする為  抜き取りやすく差し込みやすいアルミ製旗蝶番を使用、連結補強材にはアルミ製丸パイプを使用その中央にはユニバーサルジョイントを直列に２コ繋ぐ  そうすれば補強パイプを外さなくても折り畳みが可能である
そしてスライド固定用アルミ製丸パイプを図８のように使用すれば完全に固定出来る
【考案の効果】
【０００５】折り畳みが可能になり乗用車のキャリアにも搭載出来陸上も移動するため台車も係留の心配もいらない
自宅の狭い庭にも保管出来、保管面積も多くとらない
そしてこれ１隻で３種類の船遊びが出来、安価で経済的に良い
【考案を実施するための最良の形熊】
【０００６】本考案に係る折り畳み双胴艇は乗用車のキャリアに搭載出来るように軽量でなければならない
双胴艇の船体と水上サイクル用着脱式フロートもハッポースチロール製である  ただし、強度を高めるためスチロール全体を２ミリ厚のポリカーボネイトで完全密閉する
そして回り縁にはアルミ製コーナーアングルを付けるそれは付属部品の取付下地になる
コーナーアングルや各種フレーム及び補強材の９５パーセントはアルミを使って軽量化重視に努める  ただし、タッピングビスやボルト類は錆に強いステンレス製を使用
カヌーの座席は双胴艇を折り畳む際、障害にならないように固定金具付リクライニングシートとする
水上サイクルのラダーとスクリューも陸上移動と折り畳む際に障害にならないように上下スライド式とする
【図面の簡単な説明】
【０００７】
【図１】本考案に係る双胴艇を片側折り畳んだ伏態の後面図である
【図２】双胴艇を片側折り畳んだ状態の正面図である
【図３】双胴艇を折り畳んだ状態の後面図である
【図４】双胴艇を開いた状態の正面図である
【図５】双胴艇を外して水上サイクルとして使用する場合下にフロートを装着した状態の正面図である
【図６】水上サイクルの後面図である
【図７】水上サイクルの中央手前から見た側面図と断面図である
【図８】双胴艇の中間より左側前方を見た断面図である
【図９】スクリューの駆動部分とスライド方式を拡大した図である
【図１０】双胴艇の側面図である
【図１１】水上サイクルを水上走行出来る状態にした側面図である
【図１２】差し込み式旗蝶番とストッパーの拡大図である
【図１３】双胴艇の片側を折り畳んだ状態の平面図である
【符号の説明】
【０００８】  １  スライド用アルミ丸パイプ
２  補強用アルミ丸パイプ
３  スクリュー
４  リクライニングシート
５  ラダー
６  自在型キャスター
７  自在型小型キャスター
８  双胴艇用ラダー
９  折り畳み用補強丸パイプ
１０  水上サイクル用フロート固定バックル金具
１１  双胴艇用旗蝶番抜け防止ストッパー
１２  回転自在型アルミ丸パイプ固定金具
１３  アルミ回り縁用アングル
１４  フロート用固定ラダー
１５  補強用アルミ丸パイプ抜け防止付安全ピン
１６  スライド丸パイプ用ストッパービス
１７  折り畳み用ユニバーサルジョイント
１８  アルミ旗蝶番
１９  折り曲げ回転用ユニバーサルジョイント
２０  ベアリング入りフランヂ
２１  ポリカーボネイト
２２  ハッポースチロール
２３  固定用アルミ丸パイプ
２４  ９０度回転伝達ギア
２５  スプロケット
２６  スライド用アルミアングル
２７  ラダースライド固定用割ピン差し込み穴
【図１】
0003142838.tif 000003
【図２】
0003142838.tif 000004
【図３】
0003142838.tif 000005
【図４】
0003142838.tif 000006
【図５】
0003142838.tif 000007
【図６】
0003142838.tif 000008
【図７】
0003142838.tif 000009
【図８】
0003142838.tif 000010
【図９】
0003142838.tif 000011
【図１０】
0003142838.tif 000012
【図１１】
0003142838.tif 000013
【図１２】
0003142838.tif 000014
【図１３】
0003142838.tif 000015
【手続補正書】
【提出日】平成19年5月28日(2007.5.28)
【手続補正１】
【補正対象書類名】実用新案登録請求の範囲
【補正対象項目名】全文
【補正方法】変更
【補正の内容】
【実用新案登録請求の範囲】
【請求項１】
水上サイクルとサーフィンボード型カヌーが簡単に着脱出来、カヌー使用、水上サイクル、双胴艇と３種類の独立した遊びが出来、折り畳むとキャスター付開脚収納型スタンドが出て陸上移動が出来、また乗用車のキャリアに塔載可能な程コンパクトに折り畳める特徴を持った着脱式人力折り畳み双胴艇
：人力スクリュー付で自動車形状の水上サイクルと船体の前後が反りの形をしたサーフィンボード型カヌーを並列に連結した形を特徴とする請求項１記載の着脱式人力折り畳み双胴艇
【手続補正書】
【提出日】平成19年9月20日(2007.9.20)
【手続補正１】
【補正対象書類名】実用新案登録請求の範囲
【補正対象項目名】全文
【補正方法】変更
【補正の内容】
【実用新案登録請求の範囲】
【請求項１】
カヌーの形状を反り型にして、前後内側の波の抵抗を受けない所に自在型車輪付スタンドが４基付いている双胴艇使用の場合水平状態だった自在型車輪付スタンドが双胴艇の折り畳みと同時に垂直になって台車の役割を果たすまた分解目的の着脱式ではなく、利用価値を高める為  双胴艇、カヌー使用、付属のフロートを装着すれば単独水上サイクルとして３種類の独立使用が出来る特徴のある着脱式人力折り畳み双胴艇。
：人力スクリュー付で自転車型の水上サイクルと前後が反りの形をしたサーフィンボード型カヌーを並列に連結した特徴のある請求項１記載の着脱式人力折り畳み双胴艇。
：折り畳むとキャスター付開脚収納型スタンドが出て陸上での移動が可能また、乗用車のキャリアに塔載が可能で自宅に保管出来る程コンパクトに折り畳める特徴を持った請求項１記載の着脱式人力折り畳み双胴艇。
：水上サイクルとサーフィンボード型カヌーが簡単に着脱出来、カヌー使用、水上サイクル、双胴艇と３種類の独立した遊びが出来る特徴のある請求項１記載の着脱式人力折り畳み双胴艇。
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
別置き使用のフロートを装着することにより単独水上走行が出来る水上サイクルを中央に配置し、その両側にカヌーを着脱式に連結し、分離するとそれぞれ独立使用が出来る特徴のある着脱式人力折り畳み双胴艇。
：  該請求項１を引用する請求項２、
水上サイクルとカヌーは差し込み易く抜き易い特性を持つアルミ旗蝶番と連結用アルミ丸パイプによって並列に連結され、その連結用アルミ丸パイプの中間にユニバーサルジョイントを２コ直列に設け、その表面を筒状のスライド固定用アルミ丸パイプを斜め上に移動することにより、連結用アルミ丸パイプは元より外すことなく連結した状態でカヌーと共に折り畳みが出来るのが特徴。
：  該請求項１を引用する請求項３、
両カヌーの前後左右対象に付いているキャスター付スタンドは、双胴艇使用とカヌー使用の際には水平姿勢を保ち折り畳みと同時に立体型に変化する為、移動手段や輸送手段を容易にし、自宅管理が出来るのが特徴。
【手続補正書】
【提出日】平成20年3月25日(2008.3.25)
【手続補正１】
【補正対象書類名】実用新案登録請求の範囲
【補正対象項目名】全文
【補正方法】変更
【補正の内容】
【実用新案登録請求の範囲】
【請求項１】
別置き使用のフロートを装着出来る水上サイクルを中央に配置して、その両側に片持ち車輪付のソリ型カヌーを差し込み易く抜き易い性質を持つアルミ旗蝶番と連結補強用アルミ丸パイプ（中間にユニバーサルジョイントを直列に２コ設けて、その表面をスライド丸パイプが移動することにより、固定と折り曲げと外しが出来る）で並列に結ばれていることを特徴とする着脱式人力折り畳み双胴艇。
【請求項２】
両カヌーの前後左右対象に付いている自在型キャスター付スタンドは、水上航行中には水平姿勢を保ち、折り畳みと同時に立体型の四輪車に変化する為、陸上移動が出来ることを特徴とする請求項１を引用する着脱式人力折り畳み双胴艇。
【請求項３】
集合体から解放すると、各艇それぞれ独立使用が出来る形状を特徴とする請求項１を引用する着脱式人力折り畳み双胴艇。